(57)【要約】      （修正有）【課題】組立及び交換作業を容易にし、且つ、該モップによる家具類の損傷を可及的に低減する水絞り機構付モップの清掃部品の提供。【解決手段】水絞り機構付モップの連接棒５ａと結合して使用する綿体１２ａ及びベース板１１ａを含む清掃部品であって、該清掃部品のベース板１１ａは固定部品があって、連接棒５ａに固設することができるので、製造時の組立を便利にし、使用者の清掃部品の交換に便宜を付与することができる。【選択図】図１
0003112342.tif 000002
【実用新案登録請求の範囲】
【請求項１】
水絞り機構付モップの連接棒と結合して使用される水絞りモップ清掃部品であって、柔軟な吸水性材料で製作され、やや条形体になっていて拭き部及び固定部を有する綿体と、金属材質で製作され、且つ、両側の下側に鋸歯状の下縁を有し、前記綿体の固定部上に固設することができるベース板を含み、
該ベース板は固定部品があって、前記連接棒上に固設されて成ることを特徴とする水絞り機構付モップの清掃部品。
【請求項２】
上記ベース板の固定部品は、Ｔ字形の頂部であることを特徴とする請求項１記載の水絞り機構付モップの清掃部品。
【請求項３】
上記固定部品は、ベース板の中間部に設けられていて、その上には凸上げがあって、該凸上げの側壁に複数の孔が設けられていることを特徴とする請求項１記載の水絞り機構付モップの清掃部品。
【請求項４】
上記固定部品は、ベース板の中間部に設けられていて、その上には凹形の凸上げがあって、該凹形の凸上げの両側に複数の孔が設けられていることを特徴とする請求項１記載の水絞り機構付モップの清掃部品。
【請求項５】
上記固定部品は、ベース板の中間部に設けられていて、その上にはＴ字形の凸上げがあることを特徴とする請求項１記載の水絞り機構付モップの清掃部品。
【請求項６】
上記固定部品はベース板の中間部に設けられていて、その上には凹形の凸上げが設けられており、該凹形の凸上げの凹部の切断面はやや逆Ｔ字形に形成されていることを特徴とする請求項５記載の水絞り機構付モップの清掃部品。
【考案の詳細な説明】
【技術分野】
【０００１】
本考案は水絞り機構付モップの清掃部品に関するものであり、特に、モップの前端に設けて引き拭く動作を可能にし、且つ、組立、交換作業が容易にできるようにした水絞り機構付モップの清掃部品に関するものである。
【背景技術】
【０００２】
従来の此種水絞り機構付モップの清掃部品を図９乃至図１２に従って説明する。図において従来の水絞りモップは、清掃部品１と挟みヘッド２と、握り棒３と、Ｕ字形棒４と、二本の連接棒５と、二つの棒体５６及び数個の水絞り部品５７を含む：
上記清掃部品１はベース板１１及びその下に設けた綿体１２から成り、床面を拭くのに用いられる。
【０００３】
又、上記挟みヘッド２は清掃部品１の上側に跨設されていて、ややＵ字形に形成され、そして、その頂部には貫通孔２１が設けられている。更に、その両側には夫々逆Ｕ字形の凹部が形成されて前後側に各別に左右の棒アーム２３，２４が設けられている。該左右の棒アーム２３，２４の下端部には各別に貫通孔２５，２６が開穿されており、その間に前記凹部から成る開口２７が形成されている。
【０００４】
又、上記握り棒３はその下端部を上記挟みヘッド２の頂部の貫通孔２１に嵌着されていて手で握持できるように構成されている。
【０００５】
更に、上記Ｕ字形棒４は、その上端は握り棒３の中段の個所に枢着され、そして、その末端に手握り４１が形成され、該手握り４１を握持して前記枢着部を介して上下動可能に形成されている。
【０００６】
又、上記連接棒５は、対称的に前記握り棒３の両外側に設けられており、そして、その上端はＵ字形棒４の上端部に枢着されている。更に、その下端は前記挟みヘッド２の左右の開口２２を通し抜けて清掃部品１のベース板１１の上に固設されてＵ字形棒４を上方へ回動させることにより、清掃部品１を上方へ移動させることができるように構成されている。
【０００７】
又、前記棒体５６は、個別に対称的に挟みヘッド２の前後側の左右の棒アーム２３，２４に設けた貫通孔２５，２６に固設されている
更に又、上記水絞り部品５７は、個別に対称的に左右棒アーム２３，２４の間に設けられている前記棒体５６，５８に設けていて、所定のすき間を形成し、綿体１２が該すき間の中に進入した時には該水絞り部品５７が転動して綿体１２を押圧し、綿体１２の水切りができるように構成されている。
【０００８】
そこで、該綿体１２の水分を絞り出す必要がある時には、片手で握り棒３を握り、別の手で該Ｕ字形棒４の握り４１を上に向けて回動させる。然るときは、前記連接棒５がベース板１１を上方へ移動させる綿体１２を引き上げる。このとき、綿体１２は水絞り部品５７のすき間を通過する。然るに、該すき間は固定されており、且つ、該綿体１２の厚さが該すき間よりも大であるので、該綿体１２は水絞り部品５７の押圧力を受けて綿体１２中の水分が圧出される。押圧動作を完了した後は、連接棒５は元の位置に復帰し、綿体１２も元の位置に復帰する。更に、上記Ｕ字形棒４の回動動作を反復することによって該綿体１２の水絞り動作を完了することができる。
【０００９】
又、図９〜図１１に示す従来例は下記のものを含む：綿体１２は柔軟性で吸水する材料から成り、やや条形体に形成されている。拭き部１２１及び該拭き部の上側に設けた固定部１２２がある。及び、断面がＵ字形のベース板１１は、その両側の下縁には鋸歯形の下縁１１１があって、綿体１２の固定部１２２に固設することができる。そして、その頂部は複数の孔１１２が設けられていて、ネジで二本の連接棒５に固設することができる。この従来例は実用的ではあるが、下記のような欠点を有する。
１．組立が不便：清掃部品の左右２個所を二本の連接棒５に固定する必要があるので、組立上相当の時間を要する。
２．交換が不便：所定時間使用した後では、連接棒、ネジ及びベース板の腐錆が生じるので、部品の交換作業に困難性を来す。そこで、モップ全体を廃棄する場合が多いが之は経費の浪費となる。
３．家具を傷つけ易い：従来の清掃部品と結合する二本の連接棒５は外側に露出しているので、使用時ではこの二本の連接棒は家具に触れて、之を傷つけ易い。
【００１０】
又、鳥居形フレームと、この鳥居形フレームの脚部下端にハンドルによって回転し固定可能に取り付けられた拭き紐束支持ローラーと、上記拭き紐束支持ローラーに向けて付勢され接離及び回転可能に鳥居形フレームの脚部に取り付けられた絞りローラーと、上記拭き紐束支持ローラーを回転させるためのハンドルを固定するクランプとからなるモップも知られている。（例えば、特許文献１参照）
この特許文献１に記載されたモップ組立及び部品交換に難点があり、且つ、ハンドル及びネジ軸、ボス、ナット、ヨークの突き出し部等が柄から外側へ大きく突出しているので、家具等を傷つけ易い。
【特許文献１】特開２０００−１２６１０６号
【考案の開示】
【考案が解決しようとする課題】
【００１１】
上記従来例は何れも実用的ではあるが、部品の組立及び交換作業が困難であり、且つ、家具類を傷つけ易いと云う欠陥を有する。
【００１２】
そこで、家具類の損傷を可及的に低減し、部品の組立及び交換作業を容易にするためにら解決せられるべき技術的課題が生じてくるのであり、本考案は該課題を解決することを目的とする。
【課題を解決するための手段】
【００１３】
本考案は上記目的を達成するために提案されたものであり、水絞り機構付モップの連接棒と結合して使用される水絞りモップ清掃部品であって、柔軟な吸水性材料で製作され、やや条形体になっていて拭き部及び固定部を有する綿体と、金属材質で製作され、且つ、両側の下側に鋸歯状の下縁を有し、前記綿体の固定部上に固設することができるベース板を含み、該ベース板は固定部品があって、前記連接棒上に固設されて成る水絞り機構付モップの清掃部品、及び、上記ベース板の固定部品は、Ｔ字形の頂部である水絞り機構付モップの清掃部品、及び、上記固定部品は、ベース板の中間部に設けられていて、その上には凸上げがあって、該凸上げの側壁に複数の孔が設けられている水絞り機構付モップの清掃部品、及び、上記固定部品は、ベース板の中間部に設けられていて、その上には凹形の凸上げがあって、該凹形の凸上げの両側に複数の孔が設けられている水絞り機構付モップの清掃部品、及び、上記固定部品は、ベース板の中間部に設けられていて、その上にはＴ字形の凸上げがある水絞り機構付モップの清掃部品、並びに、上記固定部品はベース板の中間部に設けられていて、その上には凹形の凸上げが設けられており、該凹形の凸上げの凹部の切断面はやや逆Ｔ字形に形成されている水絞り機構付モップの清掃部品を提供するものである。
【考案の効果】
【００１４】
本考案の水絞り機構付モップ清掃部品は、組立及び交換作業が極めて容易である等の効果を奏する。
【考案を実施するための最良の形態】
【００１５】
本考案は家具を容易に傷つけることなく、且つ、部品の組立及び交換を容易にすると云う目的を、水絞り機構付モップの連接棒と結合して使用される水絞りモップ清掃部品であって、柔軟な吸水性材料で製作され、やや条形体になっていて拭き部及び固定部を有する綿体と、金属材質で製作され、且つ、両側の下側に鋸歯状の下縁を有し、前記綿体の固定部上に固設することができるベース板を含み、該ベース板は固定部品があって、前記連接棒上に固設されて成ることを特徴とする水絞り機構付モップの清掃部品を提供することにより実現した。
【実施例】
【００１６】
以下、本考案の好適な実施例を図１乃至図８に従って詳述する。
【００１７】
図１〜図４に示したように、本考案の清掃部品を使用したモップの部品は略図９〜図１１に示した従来例のものと同じであって、その異なる点は、握り棒３ａの下方部位に長形孔３１が設けられている点、及び、Ｕ字形棒４ａの上端部を連接棒５ａの上端部に枢設している点、並びに該連接棒５ａの下端部に一本の連接棒６を枢設し、そして、該連接棒６の下端部に清掃部品１ａを固設している点である。
【００１８】
清掃部品１ａの水絞り原理と従来例の清掃部品１は同じであって、両者の綿体１２，１２ａの部分も同じである。両者の異なる点は、本考案のベース板１１ａの上には特殊設計の固定部品（即ち、頂部）１５があって、製造時の組立を容易にする外、部品交換作業も容易に実行できるようにした点である。
【００１９】
図１〜図４は本考案の第一実施例を示す。同図において清掃部品１ａは次のものを含む。綿体１２ａを有し、該綿体１２ａは柔軟性の吸水材料で製作されていて、拭き部１４及び、該拭き部１４の上側に設けている固定部１６を有する。及びベース板１１ａを有し、該ベース板１１ａはやや条形体に形成されている金属材料で製作されているもので、その両側の下端には鋸歯形の下縁１３が設けられていて、綿体１２ａの固定部１６の上部に固設することができる。その特徴は、該ベース板１１ａはＴ字形の頂部１５があって、モップの連接棒６に容易に固設することができる。本考案の清掃部品の設計は従来例のモップの二本の連接棒５を使用するのを避けることができる（図９〜図１０参照）。
【００２０】
この外、清掃部品１ａのベース板１１ａは、握り棒３ａの中の連接棒５ａ，６に隠れて連設しているので、連接棒も家具を傷つける心配がない。更に重要である点は、製造時の組立が容易であり、且つ、部品交換作業も簡易に実行できる。
【００２１】
図５は更に、本考案の第二実施例を示す。同図において前記ベース板１１ｂの頂部の中間位置に固定部品１７が配設されており、該固定部品１７にはＴ字形凸上げ１８が設けてある。
【００２２】
図６は更に本考案の第三実施例を示す。同図において該ベース板１１ｂの頂部の中間位置には、固定部品１７ａが設けられていて、該固定部品１７ａには凹形凸上げ１８ａがあって、その凹部の断面はやや逆Ｔ字形に形成されている。
【００２３】
図７は本考案の第四実施例を示す。同図において該ベース板１１ｂの頂部の中間位置には固定部品１７ｂが設けられている。該固定部品には凸上げ１８ｂがあって、該凸上げ１８ｂの側壁に複数の孔１９が開穿されている。該孔１９に固定部品２０を挿入して連接棒に固設することができる。
【００２４】
図８は更に本考案の第五実施例を示す。同図において、該ベース板１１ｂの頂部の中間位置には固定部品１７ｃがあって、該固定部品１７ｃには凹槽１８ｃが設けられている。該凹槽１８ｃの両側には複数の孔１９ａが開穿されていて、該孔１９ａに固定部品２０を挿入して連接棒に固設することができる。
【図面の簡単な説明】
【００２５】
【図１】本考案の水絞り機構付モップの清掃部品を有するモップの正面図。
【図２】図１の側面図。
【図３】図１の実施例の水を絞っている時の側面図。
【図４】本考案の第一実施例の分解図。
【図５】本考案の第二実施例の斜視図。
【図６】本考案の第三実施例の斜視図。
【図７】本考案の第四実施例の斜視図。
【図８】本考案の第五実施例の斜視図。
【図９】従来例のモップの正面図。
【図１０】従来例のモップの側面図。
【図１１】従来例の清掃部品の分解図。
【符号の説明】
【００２６】
１，１ａ        清掃部品
２              挟みヘッド
３，３ａ        握り棒
４，４ａ        Ｕ字形棒
５，５ａ        連接棒
６              連接棒
１１，１１ａ，１１ｂ    ベース板
１２，１２ａ      綿体
１３              鋸歯形下縁
１４              拭き部
１５              頂部
１６              固定部
１７，１７ａ，１７ｂ，１７ｃ    固定部品
１８              凹部凸上げ
１８ｂ            凸上げ
１８ｃ            凹槽
１９，１９ａ      孔
２０              固定部品
２１              貫通孔
２２，２７        開口
２３              左棒アーム
２４              右棒アーム
２５，２６        貫通孔
３１              長形孔
４１              手握り
５６              棒体
５７              水絞り部品
１１１            鋸歯形下縁
１１２            孔
１２１            拭き部
１２２            固定部
【図１】
0003112342.tif 000003
【図２】
0003112342.tif 000004
【図３】
0003112342.tif 000005
【図４】
0003112342.tif 000006
【図５】
0003112342.tif 000007
【図６】
0003112342.tif 000008
【図７】
0003112342.tif 000009
【図８】
0003112342.tif 000010
【図９】
0003112342.tif 000011
【図１０】
0003112342.tif 000012
【図１１】
0003112342.tif 000013